(57)【要約】【課題】回転中心を有した静止画等を表示でき、各種の色を組み合わせ混色の残像効果を利用して豊かな色で静止画等を表示でき、時計のアナログ表示のごとき複雑な静止画／動画の画像を表示できる回転型画像表示装置等を提供する。【解決手段】このアナログ時計表示装置１０は、回転可能に支持された表示部本体３０と、モータ２３と、表示部本体の一方の面に配列され、かつその回転中心から一方の側の径方向に少なくとも一列で配列された複数のＬＥＤ列４１，４２，４３と、表示部本体の基準位置を検出する回転位置検出部４４と、回転位置検出部で検出された表示部本体の位置情報を基準にして複数のＬＥＤ列の各ＬＥＤの発光・非発光の動作を制御し、静止画および／または動画を表示する演算装置３３から構成される。【選択図】図１
2008040325.tif 000002
【特許請求の範囲】
【請求項１】
回転可能に支持された回転体と、
前記回転体を所定の一定回転数で回転させる回転駆動装置と、
前記回転体の一方の面に配列され、かつ前記回転体の回転中心から一方の側の径方向に少なくとも一列で配列された複数の発光素子と、
前記回転体の基準位置を検出する回転位置検出手段と、
前記回転位置検出手段で検出された前記回転体の位置情報を基準にして前記複数の発光素子の各々の発光・非発光の動作を制御し、静止画および／または動画を表示する表示制御手段と、
を備えることを特徴とする回転型画像表示装置。
【請求項２】
前記複数の発光素子は、赤色を表示する第１発光素子列と、緑色を表示する第２発光素子列と、青色を表示する第３発光素子列とを形成し、
前記表示制御手段は、前記第１発光素子列と前記第２発光素子列と前記第３発光素子列のそれぞれの各発光素子について、位相差を合わせて指定位置における発光・非発光の動作を制御し、加色混法により色付きの静止画および／または動画を表示する、
ことを特徴とする請求項１記載の回転型画像表示装置。
【請求項３】
前記回転位置検出手段は、前記回転体に設けられ、かつ所定位置に静止状態で取り付けられた信号発生素子からの信号を受ける信号検出素子であることを特徴とする請求項１または２記載の回転型画像表示装置。
【請求項４】
前記回転体における前記回転中心を基準にして前記一方の側の反対側に位置する箇所に、前記表示制御手段の機能を有する演算装置を設けたことを特徴とする請求項１記載の回転型画像表示装置。
【請求項５】
前記静止画および／または動画は時計の文字盤と指針を表す画像であることを特徴とする請求項１記載の回転型画像表示装置。
【請求項６】
回転可能に支持された回転体と、
前記回転体を所定の一定回転数で回転させる回転駆動装置と、
前記回転体の一方の面に配列され、かつ前記回転体の回転中心から一方の側の径方向に少なくとも一列で配列された複数の発光素子と、
前記回転体の基準位置を検出する回転位置検出手段と、
前記回転位置検出手段で検出された前記回転体の位置情報を基準にして前記複数の発光素子の各々の発光・非発光の動作を制御し、時計の文字盤と指針を表す画像を表示する表示制御手段と、
を備えることを特徴とするアナログ時計表示装置。
【請求項７】
前記複数の発光素子は、赤色を表示する第１発光素子列と、緑色を表示する第２発光素子列と、青色を表示する第３発光素子列と形成し、
前記表示制御手段は、前記第１発光素子列と前記第２発光素子列と前記第３発光素子列のそれぞれの各発光素子について、位相差を合わせて指定位置における発光・非発光の動作を制御し、加色混法により色付きの時計の文字盤と指針を表す画像を表示する、
ことを特徴とする請求項６記載のアナログ時計表示装置。
【請求項８】
前記回転位置検出手段は、前記回転体に設けられ、かつ所定位置に静止状態で取り付けられた信号発生素子からの信号を受ける信号検出素子であることを特徴とする請求項６または７記載のアナログ時計表示装置。
【発明の詳細な説明】
【技術分野】
【０００１】
本発明は、２次元的な静止画や動画の表示に適した回転型画像表示装置、およびこの回転型画像表示装置を利用して構成されるアナログ時計表示装置に関する。
【背景技術】
【０００２】
従来、回転部材に複数のＬＥＤ素子を一列に配列し、回転部材を回転させながら複数のＬＥＤ素子の各々の発光・非発光の動作を制御し、人の視覚における残像効果を利用して画像を表示する技術が知られている（特許文献１等）。特許文献１に記載される回転型表示装置では、回転可能に支持された回転体において、その回転中心の軸に垂直な例えば２つの辺または面に、回転中心から径方向に少なくとも１列のＬＥＤ素子の配列を設けた構成を有している。
【特許文献１】特開２００５−３０８９８０号公報
【発明の開示】
【発明が解決しようとする課題】
【０００３】
特許文献１には、回転中心を有した静止画または動画を画像として表示する記載はなく、またそのような画像を表示するための表示制御のための構成についての記載もない。さらに特許文献１には、各種の色を組み合わせ静止画または動画を、混色の残像効果を利用して豊かな色で表示するという記載もない。
【０００４】
加えて、特許文献１に記載された回転表示装置によれば、１画像を表示させるための回転体の回転数または回転状態、および表示する内容としての３次元的表示についての記載は存在するが、時計のアナログ表示のごとき時計の文字盤と指針、すなわち時分の目盛り等を示す静止画像と動画としての指針画像とを組み合わせて成る複雑な静止画／動画の画像を表示することについては記載がない。
【０００５】
本発明の目的は、上記の課題に鑑み、回転中心を有した静止画または動画を表示することができ、各種の色を組み合わせ混色の残像効果を利用して豊かな色で静止画または動画表示することができ、時計のアナログ表示のごとき複雑な静止画／動画の画像を表示することができる回転型画像表示装置、およびこれを利用して成るアナログ時計表示装置を提供することにある。
【課題を解決するための手段】
【０００６】
本発明に係る回転型画像表示装置およびアナログ時計表示装置は、上記の目的を達成するために、次のように構成される。
【０００７】
本発明の回転型画像表示装置は、回転可能に支持された回転体と、回転体を所定の一定回転数で回転させる回転駆動装置と、回転体の一方の面に配列され、かつ回転体の回転中心から一方の側の径方向に少なくとも一列で配列された複数の発光素子と、回転体の基準位置を検出する回転位置検出手段と、回転位置検出手段で検出された回転体の位置情報を基準にして複数の発光素子の各々の発光・非発光の動作を制御し、静止画および／または動画を表示する表示制御手段とから構成されている。
【０００８】
上記の回転型画像表示装置では、回転体を一定回転数で回転させ、当該回転体の正面側に位置する一面に所定の位置に配列された発光素子列の各発光素子を、回転に同期させて一回転ごとにその位置に応じて発光・非発光させる。これにより、回転体が回転する円形領域に静止と動画のいずれか一方または両方が表示される。画像は、回転体の回転中心を中心とする画像が表示される。
【０００９】
上記の回転型画像表示装置において、好ましくは、上記の複数の発光素子は、赤色を表示する第１発光素子列と、緑色を表示する第２発光素子列と、青色を表示する第３発光素子列とを形成し、また表示制御手段は、第１発光素子列と第２発光素子列と第３発光素子列のそれぞれの各発光素子について、位相差を合わせて指定位置における発光・非発光の動作を制御し、加色混法により色付きの静止画および／または動画を表示する。この構成によって、静止画と動画から成る画像において、画像を形成する各画素ごとに加色混法によって所要の色表示を行うことが可能となる。
【００１０】
上記の回転型画像表示装置において、好ましくは、回転位置検出手段は、回転体に設けられ、かつ所定位置に静止状態で取り付けられた信号発生素子からの信号を受ける信号検出素子である。
【００１１】
上記の回転型画像表示装置において、好ましくは、回転体における回転中心を基準にして一方の側の反対側に位置する箇所に、表示制御手段の機能を有する演算装置を設けるようにした。
【００１２】
また上記の回転型画像表示装置において、好ましくは、静止画および／または動画は時計の文字盤と指針を表す画像であることで特徴づけられる。
【００１３】
本発明のアナログ時計表示装置は、回転可能に支持された回転体と、回転体を所定の一定回転数で回転させる回転駆動装置と、回転体の一方の面に配列され、かつ回転体の回転中心から一方の側の径方向に少なくとも一列で配列された複数の発光素子と、回転体の基準位置を検出する回転位置検出手段と、回転位置検出手段で検出された回転体の位置情報を基準にして複数の発光素子の各々の発光・非発光の動作を制御し、時計の文字盤と指針を表す画像を表示する表示制御手段と、を備える。
【００１４】
上記のアナログ時計表示装置において、好ましくは、複数の発光素子は、赤色を表示する第１発光素子列と、緑色を表示する第２発光素子列と、青色を表示する第３発光素子列と形成し、表示制御手段は、第１発光素子列と第２発光素子列と第３発光素子列のそれぞれの各発光素子について、位相差を合わせて指定位置における発光・非発光の動作を制御し、加色混法により色付きの時計の文字盤と指針を表す画像を表示する。
【００１５】
さらに上記のアナログ時計表示装置において、好ましくは、回転位置検出手段は、回転体に設けられ、かつ所定位置に静止状態で取り付けられた信号発生素子からの信号を受ける信号検出素子であることを特徴とする。
【発明の効果】
【００１６】
本発明によれば、回転する表示部本体の正面部に径方向に所定の位相差で配列された青ＬＥＤ列４１と緑ＬＥＤ列４２と赤ＬＥＤ列４３に基づき、回転中心を有した静止画または動画を表示することができ、各種の色を組み合わせ、加色混法により残像効果を利用して豊かな色で正立等の静止画および／または動画の表示を行うことができ、特に時計のアナログ表示のごとき複雑な静止画／動画の画像を表示することができる。
【発明を実施するための最良の形態】
【００１７】
以下に、本発明の好適な実施形態（実施例）を添付図面に基づいて説明する。
【００１８】
図１〜図６を参照して本発明に係る回転型画像表示装置の実施形態を説明する。本実施形態に係る回転型画像表示装置はアナログ時計表示装置の適用例として構成されている。以下の説明では、アナログ時計表示装置として説明する。なお本発明に係る回転型画像表示装置の適用例は、アナログ時計表示装置に限定されない。
【００１９】
アナログ時計表示装置１０は支持台装置２０と表示部本体３０とから構成される。支持台装置２０は、静止し固定された状態に保持される支持台２１と、支持台２１の正面部に立設した状態で取り付けられた支柱２２を備える。支柱２２の上端部の背面にはモータ２３が取り付けられている。モータ２３は、電源２４から駆動電力を供給され、回転動作を行う。電源２４は、電池（バッテリ）でも、あるいは商用の交流電源であってもよい。この実施形態の場合には、アナログ時計表示装置１０を実現するためのモータ２３であり、回転軸２３ａが存する正面側から見て例えば反時計回りの回転動作が行われる。モータ２３の回転速度は、任意であるが、後述されるように表示部本体３０における表示動作との関係で適宜に設定される。
【００２０】
上記の支柱２２の正面部には、ほぼ中央位置に赤外ＬＥＤ２５が取り付けられている。赤外ＬＥＤ２５は、電源２４から電力を供給され、赤外光を発光する。赤外ＬＥＤ２５は基準位置マーカとして機能する発光体である。
【００２１】
表示部本体３０は、回転板３１と表示部３２と演算装置３３とから構成される。
【００２２】
回転板３１は、所定の厚みおよび所定の剛性を有する板材を用いて形成される。回転板３１の正面形状で明らかなように、回転板３１は、回転中心を有する中心部３１ａと、表示部３２が備えられた扇形部３１ｂと、演算装置３３が取り付けられた矩形部３１ｃを有している。扇形部３１ｂと矩形部３１ｃは、中心部３１ａを真ん中にして反対側に位置に設けられている。
【００２３】
回転板３１の中心部３１ａにおける回転中心は、上記モータ２３の回転軸２３ａに結合されている。モータ２３が反時計回りに回転動作を行うと、回転板３１が反時計回りの方向に回転する。また回転板３１の中心部３１ａの回転中心の正面側には時刻合わせ受光部３４が取り付けられている。
【００２４】
回転板３１の扇形部３１ｂの正面側には青ＬＥＤ列４１と、緑ＬＥＤ列４２と、赤ＬＥＤ列４３とが設けられている。青ＬＥＤ列４１と緑ＬＥＤ列４２と赤ＬＥＤ列４３によって形成される多数の点滅発光素子に基づいて上記の表示部３２が形成される。
【００２５】
図４に示すごとく青ＬＥＤ列４１と緑ＬＥＤ列４２と赤ＬＥＤ列４３は、それぞれ上記回転中心から径方向に配置され、かつ、隣り合う２つのＬＥＤ列の間は好ましくは等角度間隔（θ）で配置されている。角度θはＬＥＤ位相角を定める。なお、隣り合う２つのＬＥＤ列の間は等角度間隔（θ）で配置されることには限定されず、異なる角度の配置に設定することもできる。換言すれば、演算処理によって制御可能の範囲であれば、不等間隔にすることも可能である。青ＬＥＤ列４１と緑ＬＥＤ列４２と赤ＬＥＤ列４３のそれぞれの列に並べられるＬＥＤ（発光ダイオード）の個数は任意であるが、好ましくは隙間なく密の状態で並べられている。本実施形態の例では各列で１６個のＬＥＤが直線状に並べられている。
【００２６】
また青ＬＥＤ列４１と緑ＬＥＤ列４２と赤ＬＥＤ列４３のそれぞれの列に並べられるＬＥＤの個数は同数であり、かつ径方向にて同一位置に配列される各列の色の異なるＬＥＤは同一円上の位置で移動する。従って、回転板３１が回転中心の周りに回転すると、同一円上に青、緑、赤の３色のＬＥＤが等しい距離間隔で移動することになる。回転板３１の扇形部３１ｂにおいて、内周側から外周側へ移るに従って同一円周方向上に存する色の異なるＬＥＤの間隔は広くなっていく。
【００２７】
本実施形態の表示部本体３０での表示部３２を形成する青ＬＥＤ列４１と緑ＬＥＤ列４２と赤ＬＥＤ列４３は、その内周部が扇形部３１ｂの内周縁に形成され、その外周部が扇形部３１ｂの外周縁に形成されている。なお、青ＬＥＤ列４１と緑ＬＥＤ列４２と赤ＬＥＤ列４３の各列の最内周側のＬＥＤは円周方向においてほぼ接触するような位置で配置されている。従って、本実施形態での構成によれば、原則的に、それ以上、回転板３１の中心部３１ａの回転中心に向かってＬＥＤを配置することはできない。なお、例えば角度θを大きくすることによって、本実施形態で示した以上に内周側にＬＥＤを配置することも可能である。
【００２８】
上記の演算装置３３は、表示部本体３０の回転板３１の矩形部３１ｃの正面側に固定されている。演算装置３３は、単一の半導体集積回路チップで形成されている。回転板３１の矩形部３１ｃは、好ましくは、演算装置３３を取り付けられるプリント基板としての機能を有している。矩形部３１ｃの背面には、前述した赤外ＬＥＤ２５の前面位置を通過するときに、赤外ＬＥＤ２５と対向する高さ位置になるように回転位置検出部４４が配置されている。回転位置検出部４４は、赤外ＬＥＤ２５から発光される赤外光を受光する受光素子である。表示部本体３０が回転しているとき、回転位置検出部４４が赤外ＬＥＤ２５の正面位置を通過して赤外光を受光すると、電気回路上で回転位置検出部４４は１つのパルス信号を発生する。回転位置検出部４４は、表示部本体３０すなわち回転板３１が１回転するたびに上記の１つのパルス信号を出力する。回転位置検出部４４が出力するパルス信号は基準位置パルスとして利用される。
【００２９】
表示部本体３０には、電流の供給・停止で点滅する青ＬＥＤ列４１と緑ＬＥＤ列４２と赤ＬＥＤ列４３、電気で駆動される演算装置３３および回転位置検出部４４が設けられている。これらの電気的要素を駆動するための電力は、支持台装置２０側に設けられた電源２４から供給される。支持台装置２０側にはブラシ４５が設けられており、このブラシ４５は表示部本体３０の中心部３１ａの背面に設けられた金属部材（摺動電極部）の表面に接触している。ブラシ４５によって、静止状態の支持台装置２０側と、回転状態の表示部本体３０側との間に電気的摺動子としての電気的接続関係が保持されることになる。回転する表示部本体３０について、支持台装置２０に設けられた電源２４からブラシ４５を経由して表示部本体３０側に設けられた演算装置３３や発光素子等に必要な電力が供給される。
【００３０】
支持台装置２０において、電源２４からモータ２３、赤外ＬＥＤ２５、およびブラシ４５の各々への給電用配線回路は、好ましくは支柱２２の裏面に形成される。また表示部本体３０において、青ＬＥＤ列４１と緑ＬＥＤ列４２と赤ＬＥＤ列４３の各ＬＥＤ（発光ダイオード）、演算装置３３等の電気的要素に所要の電気を供給する給電用配線回路は、好ましくは回転板３１の裏面に形成される。
【００３１】
上記のアナログ時計表示装置１０に対して、図３に示すごとく、時刻合わせリモコン装置４６が別途に用意される。時刻合わせリモコン装置４６は、回転板３１の中心部３１ａの回転中心に設けられた上記の時刻合わせ受光部３４に対して作用し、光を利用して時刻合わせの情報を送信する。
【００３２】
上記のごとく構成されるアナログ時計表示装置１０における電気的構成は図５に示すようになる。
【００３３】
図５において、上記の演算装置３３では水晶発振子５１を備える。水晶発振子５１は、前述した青ＬＥＤ列４１と緑ＬＥＤ列４２と赤ＬＥＤ列４３のそれぞれのＬＥＤの発光・非発光の動作を規定するための基本周波数を与える。演算装置３３は、水晶発振子５１の発振出力信号を利用して、アナログ時計表示を実現するための時計用の時刻データを作成する。基準位置マーカとして機能する赤外ＬＥＤ２５からの赤外光を受ける受光機能を有する回転位置検出部４４は、赤外光を検出した結果発生した単一パルス信号を演算装置３３に提供する。また時刻合わせリモコン装置４６から提供される光信号を受ける時刻合わせ受光部３４は、受けた時刻合わせ用の信号を演算装置３３に提供する。
【００３４】
演算装置３３は４つのポートＡ〜Ｄを有している。ポートＡからは、輝度調整回路５２に対して、青ＬＥＤ列４１と緑ＬＥＤ列４２と赤ＬＥＤ列４３のそれぞれの各ＬＥＤに対応する電気配線の束から成る電気配線部６１が接続されている。電源２４から供給される電力は輝度調整回路５２に与えられる。輝度調整回路５２は、青ＬＥＤ列４１と緑ＬＥＤ列４２と赤ＬＥＤ列４３のそれぞれに対して上流側（高電圧側）に位置する。青ＬＥＤ列４１の下流側（低電圧側）の電気配線６２は束の状態でポートＢに接続されている。緑ＬＥＤ列４２の下流側（低電圧側）の電気配線６３は束の状態でポートＣに接続されている。さらに赤ＬＥＤ列４３の下流側（低電圧側）の電気配線６４は束の状態でポートＤに接続されている。
【００３５】
青ＬＥＤ列４１と緑ＬＥＤ列４２と赤ＬＥＤ列４３のそれぞれの各ＬＥＤの点滅動作は、演算装置３３のポートＡからポートＢ〜Ｄのそれぞれに流れる電流によって決定される。その際に、青ＬＥＤ列４１と緑ＬＥＤ列４２と赤ＬＥＤ列４３のそれぞれのＬＥＤの点灯輝度は輝度調整回路５２によって調整される。
【００３６】
本実施形態の場合、青ＬＥＤ列４１（１６個の青ＬＥＤ）と緑ＬＥＤ列４２（１６個の緑ＬＥＤ）と赤ＬＥＤ列４３（１６個の赤ＬＥＤ）のそれぞれで、全部で４８個のＬＥＤの点滅動作（発光・非発光動作）は、それぞれ、指定位置にて、個別にかつ独立に制御される。青ＬＥＤ列４１と緑ＬＥＤ列４２と赤ＬＥＤ列４３のそれぞれのＬＥＤの点滅動作は、表示しようとする画像との関係で、回転位置検出部４４から出力される基準位置パルスにより求められる回転板３１すなわち表示部本体３０の回転の周期（Ｔ）に基づいて、個別に決定される。当該回転周期（Ｔ）は、回転位置検出部４４から与えられる基準位置パルスに基づいて演算装置３３により計算される。
【００３７】
本実施形態に係るアナログ時計表示装置１０では、モータ２３を所定の回転数で回転させた状態において、表示部本体３０における表示部３２の青ＬＥＤ列４１と緑ＬＥＤ列４２と赤ＬＥＤ列４３のそれぞれの各ＬＥＤの点滅動作を基準位置パルスを基準にして制御することにより、正面側から見てアナログ時計の表示画像を作る。
【００３８】
図６にアナログ時計の表示画像を示す。アナログ時計の表示画像では、文字盤を表す画像と指針を表す画像とによって構成される。指針を表す画像は、長針（分針）画像７１と短針（時針）画像７２と秒針画像７３とから構成される。文字盤を表す画像７４は、指針を表す画像の周囲に形成される。画像７１〜７４において、図中に示された「○」は発光した状態のＬＥＤを示している。長針（分針）画像７１は７個のＬＥＤで表示され、短針（時針）画像７２は５個のＬＥＤで表示され、秒針画像７３は６個のＬＥＤで表示されている。また文字盤を表す画像７４は、円軌跡７５の上に等間隔に配置される指定位置にて１つのＬＥＤで表示されている。文字盤を表す画像７４は、青ＬＥＤ列４１と緑ＬＥＤ列４２と赤ＬＥＤ列４３のうちのいずれかの列の外側に位置するＬＥＤの点灯動作を利用して作られる。また指針を表す画像は、青ＬＥＤ列４１と緑ＬＥＤ列４２と赤ＬＥＤ列４３のそれぞれを、位相差を考慮して指定位置で点灯動作させることにより作られる。
【００３９】
青ＬＥＤ列４１と緑ＬＥＤ列４２と赤ＬＥＤ列４３のそれぞれのＬＥＤの点灯表示動作の制御について、基準位置から角度α（０°≦α≦３６０°）の位置に指針（長針（分針）７１、短針（時針）７２、秒針７３）を表示させたい場合には、基準位置からＴ×α／２πのタイミングで点灯させる。時刻を表す指針の位置に関する情報は、上記の時刻合わせリモコン装置４６から提供される。
【００４０】
さらに指定された同一位置（角度αの位置）にてカラー（加色混法）で表示を行う場合には、青はＴｂ＝Ｔ×（α−θ）／２πのタイミングＴｂで、緑はＴｇ＝Ｔ×α／２πのタイミングＴｇで、赤はＴｂ＝Ｔ×（α＋θ）／２πのタイミングＴｒで、それぞれ各ＬＥＤを点灯させると共に、その輝度を演算装置３３と輝度演算調整回路５２で調整することにより、任意の色相に発色させる。上記において、「θ」は緑のＬＥＤに対する青または赤の回転板３１上の位相角であり、回転方向に対して青ＬＥＤが先行して回転する。以上により、回転する表示部本体３０を見る者の視覚の残像によってカラー表示が行われることになる。
【００４１】
前述した通り、演算装置３３は水晶発振子５１を利用して時計用の時刻データを作成すると共に、時刻合わせ受光部３４を経由して時刻合わせリモコン装置４６から「進角」または「遅角」の要求を受信する。演算装置３３は、上記の時刻データを「進角」または「遅角」の情報に基づいて修正する。さらに演算装置３３は、修正された時刻データに基づいて、アナログ時計表示画像用の指針、すなわち分針である長針７１、時針である短針７２、秒針７３を表示させる角度αｍ、αｈ、αｓを算出する。
【００４２】
回転位置検出部４４で検出される回転の基準位置に係る信号に基づいて、演算装置３３は、表示部本体３０の回転位置を検出する。
【００４３】
さらに演算装置３３は、文字盤を表す画像７４を表示するため、文字盤用マーカ（７４）の表示位置角度β０，β５，β１０，β１５，…，β５５の１２箇所のデータを算出する。
【００４４】
以上の算出データに基づいて、演算装置３３は、前述した青、緑、赤のそれぞれの表示タイミングＴｂ，Ｔｇ，Ｔｒにて、表示すべき指針の長さに応じて各色のＬＥＤ駆動のポートＢ，Ｃ，Ｄを出力する。さらに演算装置３３は、ポートＡにおいて各色の輝度を制御し、任意に色相の指針の画像および文字盤の画像を表示させる。
【００４５】
本実施形態に係る回転型画像表示装置は、アナログ時計画像についての正立の画像表示例を説明したが、画像表示例はこれに限定されない。回転する表示部本体３０の回転中心の一方の側の径方向にて所定位置関係で設けられた少なくとも３列の青ＬＥＤ列４１と緑ＬＥＤ列４２と赤ＬＥＤ列４３を用いて指定位置に位相差を利用して点灯させることで、加法混色によりカラー表示を可能にしている。
【００４６】
以上の実施形態で説明された構成、形状、大きさおよび配置関係については本発明が理解・実施できる程度に概略的に示したものにすぎず、また数値および各構成の組成（材質）については例示にすぎない。従って本発明は、説明された実施形態に限定されるものではなく、特許請求の範囲に示される技術的思想の範囲を逸脱しない限り様々な形態に変更することができる。
【産業上の利用可能性】
【００４７】
本発明は、回転動作を利用しかつ加色混法に基づき豊かな色表現で表示された静止画または動画の画像表示に利用される。
【図面の簡単な説明】
【００４８】
【図１】本発明に係る回転型画像表示装置（アナログ時計表示装置）の全体を示す斜視図である。
【図２】回転型画像表示装置（アナログ時計表示装置）の正面図である。
【図３】回転型画像表示装置（アナログ時計表示装置）の側面図である。
【図４】回転型画像表示装置（アナログ時計表示装置）の表示部本体の正面図である。
【図５】回転型画像表示装置（アナログ時計表示装置）の電気回路図である。
【図６】アナログ時計の画像を表す正面図である。
【符号の説明】
【００４９】
１０          アナログ時計表示装置
２０          支持台装置
２１          支持台
２２          支柱
２３          モータ
２４          電源
２５          赤外ＬＥＤ
３０          表示部本体
３１          回転板
３２          表示部
３３          演算装置
４１          青ＬＥＤ列
４２          緑ＬＥＤ列
４３          赤ＬＥＤ列
４４          回転位置検出部
４５          ブラシ
【図１】
2008040325.tif 000003
【図２】
2008040325.tif 000004
【図３】
2008040325.tif 000005
【図４】
2008040325.tif 000006
【図５】
2008040325.tif 000007
【図６】
2008040325.tif 000008